(57)【要約】      （修正有）【課題】屈曲自在であると共に、適度な反発力で好適に歯磨きを行うことが可能であり、しかも、屈曲と復元を繰り返しても疲労が少なく、長期使用に耐え得る幼児や児童の使用に適した歯ブラシを提供する。【解決手段】ブラシ毛を植設したヘッド部と、手で保持されるグリップ部３と、ヘッド部とグリップ部を連結するネック部４を備え、可撓性プラスチックにより一体成形された歯ブラシにおいて、ネック部は、ヘッド部とグリップ部を結ぶ軸線Ａｘ上に位置して配置された柱状部６と、軸線上で所定間隔をあけて配置された複数のフランジ７を交互に一体成形し、フランジの間の柱状部により屈曲自在部８を形成すると共に、フランジにより非屈曲部９を形成しており、フランジを挟んで複数の屈曲自在部を屈曲させることにより、ヘッド部を傾動可能としている。【選択図】図４
0003212654.tif 000002
【実用新案登録請求の範囲】
【請求項１】
ブラシ毛を植設したヘッド部(2)と、手で保持されるグリップ部(3)と、前記ヘッド部とグリップ部を連結するネック部(4)を備え、可撓性プラスチックにより一体成形された歯ブラシにおいて、
前記ネック部(4)は、ヘッド部とグリップ部を結ぶ軸線(Ax)上に位置して配置された柱状部(6)と、該軸線上で所定間隔をあけて配置された複数のフランジ(7)を交互に一体成形し、前記フランジの間の柱状部により屈曲自在部(8)を形成すると共に、前記フランジにより非屈曲部(9)を形成しており、
前記フランジを挟んで複数の屈曲自在部(9)を屈曲させることにより、前記ヘッド部を傾動可能に構成して成ることを特徴とする歯ブラシ。
【請求項２】
前記ネック部(4)は、前記ブラシ毛の左右に向かうＸ方向と前後に向かうＹ方向に関して、前記柱状部(6)の断面形状をＹ方向に長軸(R1)を有しＸ方向に短軸(R2)を有する楕円形に形成して成ることを特徴とする請求項１に記載の歯ブラシ。
【請求項３】
前記ネック部(4)の外周は、前記ヘッド部とグリップ部の相互に対向するヘッド下端部(2a)からグリップ上端部(3a)に至る仮想テーパ面(T)を有しており、
前記フランジ(7)の外周面に前記仮想テーパ面に沿うテーパ面(7a)を形成して成ることを特徴とする請求項１又は２に記載の歯ブラシ。
【考案の詳細な説明】
【技術分野】
【０００１】
本考案は、歯ブラシに関し、特に、幼児や児童の使用に適するように構成した歯ブラシに関する。
【背景技術】
【０００２】
従来、口腔内で歯の隅々までブラシ洗浄ができるようにするため、ネック部を屈曲可能とした歯ブラシが提案されている。
【先行技術文献】
【特許文献】
【０００３】
【特許文献１】特開平１１−４６８６２号公報
【特許文献２】特開平１１−１３７３４０号公報
【特許文献３】特開２０１０−１７２１２号公報
【考案の概要】
【考案が解決しようとする課題】
【０００４】
ネック部を屈曲可能に構成するため、ネック部に金属バネを埋入した歯ブラシは、製造コストの点から採用し難いだけでなく、バネの弾発力が強いため、歯茎を傷めるおそれがある。
【０００５】
その一方において、ネック部をエラストマーにより成形した歯ブラシは、反対に弾発力が弱いため、必要十分な歯磨き効果を得られない問題がある。
【０００６】
本考案は、ブラシ毛を除く全体をポリプロピレン等の可撓性プラスチックにより成形することにより、成形容易で安価に提供できる歯ブラシを提案するものであり、その際、ネック部を特殊な形態として構成することにより、屈曲自在であると共に、適度な反発力で好適に歯磨きを行うことが可能であり、しかも、屈曲と復元を繰り返しても疲労が少なく、長期使用に耐え得る歯ブラシを課題とするものである。
【課題を解決するための手段】
【０００７】
そこで、上記課題を解決するために本考案が手段として構成したところは、ブラシ毛を植設したヘッド部と、手で保持されるグリップ部と、前記ヘッド部とグリップ部を連結するネック部を備え、可撓性プラスチックにより一体成形された歯ブラシにおいて、前記ネック部は、ヘッド部とグリップ部を結ぶ軸線上に位置して配置された柱状部と、該軸線上で所定間隔をあけて配置された複数のフランジを交互に一体成形し、前記フランジの間の柱状部により屈曲自在部を形成すると共に、前記フランジにより非屈曲部を形成しており、前記フランジを挟んで複数の屈曲自在部を屈曲させることにより、前記ヘッド部を傾動可能に構成して成る点にある。
【０００８】
前記ネック部は、前記ブラシ毛の左右に向かうＸ方向と前後に向かうＹ方向に関して、前記柱状部の断面形状をＹ方向に長軸を有しＸ方向に短軸を有する楕円形に形成することが好ましい。
【０００９】
本考案の好ましい実施形態において、前記ネック部の外周は、前記ヘッド部とグリップ部の相互に対向するヘッド下端部からグリップ上端部に至る仮想テーパ面を有しており、前記フランジの外周面に前記仮想テーパ面に沿うテーパ面を形成している。
【考案の効果】
【００１０】
本考案によれば、歯磨きの際、口腔内のヘッド部２に作用する押圧力に応じて、ネック部４が好適に屈曲するので、適切な歯磨きを容易に行うことができる。この際、ネック部４は、ポリプロピレン等の可撓性プラスチックにより一体成形されているが、細径とされた柱状部６を屈曲自在部８として必要十分な屈曲性が与えられており、特に、非屈曲部９を構成するフランジ７を挟んで複数の屈曲自在部８を屈曲させるように構成しているので、適度の反発力（復元力）が歯や歯茎に与えられ、良好な歯磨きを可能にする。そして、このように間隔をあけて配置された柱状部６を小刻みに屈曲させる構成であるから、ネック部４が局部的に折曲されることはなく、全体的に円弧状に屈曲させることが可能であり、しかも、屈曲の繰り返しによる材料疲労を招来するおそれもない。
【００１１】
ネック部４を構成する柱状部６は、断面形状をＹ方向に長軸Ｒ１を有する楕円形に形成しておけば、横方向（Ｘ方向）に大きな角度θ１の範囲で好適に屈曲可能な反面、前後方向（Ｙ方向）には制限された角度θ２の範囲でしか屈曲しないので、幼児や児童が歯磨きを行うときの喉突き事故を防止することができる。
【００１２】
歯磨きを終了した後、ヘッド部２に対する押圧力が解放されると、ネック部４は、柱状部６が復元することにより、屈曲姿勢から軸線Ａｘに沿う直線姿勢に復帰する。この際、前記フランジ７の外周面に仮想テーパ面Ｔに沿うテーパ面７ａを形成しておけば、ネック部４に屈曲癖が残り、元の直線姿勢に戻らないときでも、ユーザの手指でフランジ７のテーパ面７ａを仮想テーパ面Ｔに沿わせることにより、ネック部４を軸線Ａｘに沿う直線姿勢となるように整形することが可能となる。
【図面の簡単な説明】
【００１３】
【図１】本考案の第１実施形態に係る歯ブラシを示しており、（Ａ）は正面図、（Ｂ）は側面図である。
【図２】ネック部の詳細を示しており、（Ａ）は正面視の断面図、（Ｂ）は側面視の断面図である。
【図３】ネック部の外観を示す斜視図である。
【図４】ネック部の断面を示す斜視図である。
【図５】ネック部の作用を示しており、（Ａ）はＸ方向の屈曲作用を示す正面図、（Ｂ）はＹ方向の屈曲作用を示す側面図である。
【図６】フランジの作用を示す正面図である。
【考案を実施するための形態】
【００１４】
以下図面に基づいて本考案の好ましい実施形態を詳述する。
【００１５】
図１ないし図４に示すように、歯ブラシは、ブラシ毛１を植設したヘッド部２と、手で保持されるグリップ部３と、前記ヘッド部２とグリップ部３を連結するネック部４を備え、ポリプロピレン等の可撓性プラスチックにより一体成形されている。つまり、ヘッド部２とネック部４とグリップ部３が金型内で射出成形された後、ヘッド部２にブラシ毛１が植設される。
【００１６】
前記ブラシ毛１の左右に向かうＸ方向と前後に向かうＹ方向に関して、ネック部４を挟んで相互に対向するヘッド部２のヘッド下端部２ａとグリップ部３のグリップ上端部３ａは、図２に示すように形成されている。
【００１７】
即ち、ヘッド下端部２ａは、Ｘ方向の幅寸法（厚さ）ＲＸとＹ方向の幅寸法（厚さ）ＲＹを概ね等しく形成した断面矩形又は断面円形に形成されている。
【００１８】
これに対して、グリップ上端部３ａは、Ｘ方向の幅寸法（厚さ）ＷＸとＹ方向の幅寸法（厚さ）ＷＹをＷＸ＞ＷＹとする断面形状に形成し、ユーザが手指で握り易い形状に形成されており、該グリップ上端部３ａの正面には親指の先端を当接させる隆起部５が設けられている。
【００１９】
ヘッド下端部２ａとグリップ上端部３ａの断面形状は、ＲＸ＜ＷＸ、ＲＹ＜ＷＹに形成されると共に、図示のように、ヘッド下端部２ａの外周面からグリップ上端部３ａの外周面に向けて次第に径大化する凹曲円弧面を形成しており、これにより、図示鎖線で示すように、ヘッド下端部２ａとグリップ上端部３ａの間の凹曲円弧面を延長して結合すると、ネック部４の外周に仮想テーパ面Ｔを描くことができる。
【００２０】
ネック部４は、ヘッド部２とグリップ部３を結ぶ軸線Ａｘに位置して配置された柱状部６と、該軸線上で所定間隔をあけて配置された複数のフランジ７を交互に一体成形しており、前記フランジ７の間の柱状部６により屈曲自在部８を形成すると共に、前記フランジ７により非屈曲部９を形成している。
【００２１】
図３及び図４に示すように、前記柱状部６の断面形状は、Ｙ方向に長軸Ｒ１を有しＸ方向に短軸Ｒ２を有する楕円形に形成されている。従って、柱状部６は、Ｘ方向に屈曲し易い反面、Ｙ方向には屈曲し難いように構成される。
【００２２】
前記フランジ７は、外周面が前記仮想テーパ面Ｔに沿うように形成され、外周面にテーパ面７ａを備えている。
【００２３】
上記のように構成した歯ブラシによれば、ユーザが手指でグリップ部３を把持し、ヘッド部２を口腔に挿入して歯磨きを行う際、図５に示すように、ブラシ毛１を介してブラシ台としてのヘッド部２に作用する押圧力に応じて、ネック部４が好適に屈曲するので、適切に歯磨きを行うことができる。特に、指先が器用でなく歯ブラシの適切な動かし方を習得していない幼児や児童が歯磨きを行う場合であっても、ネック部４が適度に屈曲することによりブラシ毛１を歯周ポケット等の所望の個所に入り込ませることができる。
【００２４】
この際、ネック部４は、ポリプロピレン等の可撓性プラスチックにより一体成形されているが、細径とされた柱状部６を屈曲自在部８として必要十分な屈曲性が与えられており、特に、非屈曲部９を構成するフランジ７を挟んで複数の屈曲自在部８を屈曲させるように構成しているので、適度の反発力（復元力）が歯や歯茎に与えられ、良好な歯磨きを可能にする。そして、このように間隔をあけて配置された柱状部６を小刻みに屈曲させる構成であるから、ネック部４が局部的に折曲されることはなく、全体的に円弧状に屈曲させることが可能であり、しかも、屈曲の繰り返しによる材料疲労を招来するおそれもない。
【００２５】
更に、上述のように柱状部６の断面形状をＹ方向に長軸Ｒ１を有する楕円形に形成しているので、ネック部４は、図５に示すように、横方向（Ｘ方向）に大きな角度θ１の範囲で好適に屈曲可能であるのに対して、前後方向（Ｙ方向）には制限された角度θ２の範囲でしか屈曲しない。これにより、幼児や児童が歯磨きを行うときの喉突き事故を防止することができる。
【００２６】
歯磨きを終了した後、ヘッド部２に対する押圧力が解放されると、ネック部４は、柱状部６が復元することにより、屈曲姿勢から軸線Ａｘに沿う直線姿勢に復帰する。この際、ネック部４に屈曲癖が残り、元の直線姿勢に戻らないときは、図６に示すように、ユーザの手指（図示の場合、親指と人差し指）をヘッド下端部２ａとグリップ上端部３ａの間で、フランジ７を挟みながら上下に往復動すれば、フランジ７のテーパ面７ａが仮想テーパ面Ｔに沿わせられるので、ネック部４を軸線Ａｘに沿う直線姿勢となるように整形することが可能となる。
【符号の説明】
【００２７】
１  ブラシ毛
２  ヘッド部
２ａ  ヘッド下端部
３  グリップ部
３ａ  グリップ上端部
４  ネック部
５  隆起部
６  柱状部
７  フランジ
７ａ  テーパ面
８  屈曲自在部
９  非屈曲部
【図１】
0003212654.tif 000003
【図２】
0003212654.tif 000004
【図３】
0003212654.tif 000005
【図４】
0003212654.tif 000006
【図５】
0003212654.tif 000007
【図６】
0003212654.tif 000008